(57)【特許請求の範囲】
【請求項１】
脱穀装置の対向する一方の側板と他方の側板とに亘って回転自在に軸支された回転基材に、外周に扱歯を備えた周方向に分割可能な扱胴ドラムと、扱歯を備えた扱胴回転軸心方向に長い棒状部材の複数本とを付け替え可能に構成した扱胴であって、
前記回転基材に、前記一方の側板と前記他方の側板とに亘って貫通支架された扱胴支軸と、前記扱胴支軸の長手方向の両端側に固着されたフランジ部材と、を備え、
前記フランジ部材に対して取り外し可能な取付板を備え、
前記棒状部材は、前記取付板を前記フランジ部材から取り外した状態で、両端部を夫々前記フランジ部材の周方向の複数箇所に連結して、前記回転基材に取り付け可能であり、
前記扱胴ドラムは、前記取付板を前記フランジ部材に取り付けた状態で、前記取付板に連結して、前記回転基材に取り付け可能である扱胴。
【請求項２】
前記取付板を円盤状に形成するとともに、前記取付板の外周縁部につば部を備え、
前記扱胴ドラムを前記つば部に前記取付板の径外方向から取り付け可能に構成した請求項１に記載の扱胴。
【請求項３】
前記取付板を分割可能に構成した請求項１又は請求項２に記載の扱胴。
【請求項４】
前記取付板は、前記扱胴支軸の長手方向の両端側に固着された前記フランジ部材に対して、前記扱胴支軸の中間部の側から取り付け可能である請求項１から請求項３までのいずれか一項に記載の扱胴。
【請求項５】
前記取付板は、前記扱胴支軸の中間部の側から取付具によって前記フランジ部材に取り付けられる請求項４に記載の扱胴。
【請求項６】
前記取付板は、前記フランジ部材における前記扱胴支軸の中間部側の面にあてがわれた状態で、前記フランジ部材に取り付けられる請求項４又は請求項５に記載の扱胴。
【請求項７】
前記扱胴支軸の長手方向の両端側に固着された前記フランジ部材の間に、フランジ部材を備えた請求項１から請求項６までのいずれか一項に記載の扱胴。
【請求項８】
前記取付板は、その外周形状が前記扱胴ドラムの内周形状に沿うように形成されている請求項１から請求項７までのいずれか一項に記載の扱胴。
【請求項９】
前記取付板は、前記フランジ部材よりも大径に形成されている請求項１から請求項８までのいずれか一項に記載の扱胴。
【請求項１０】
前記フランジ部材の外周縁部に、前記棒状部材を嵌め込み可能な嵌合凹部を周方向に沿って複数形成した請求項１から請求項９までのいずれか一項に記載の扱胴。
【請求項１１】
前記回転基材の端部に、投入されてきた作物を導入するオーガ部を備えてある請求項１から請求項１０までのいずれか一項に記載の扱胴。
【発明の詳細な説明】
【技術分野】
【０００１】
本発明は、主として、普通型（全稈投入型）のコンバインの脱穀装置に装備される扱胴の構造に関する。
【背景技術】
【０００２】
上記扱胴としては、円筒状に形成された扱胴ドラムの外周に多数の扱歯を取り付けたドラム型のもの（特許文献１参照）や、扱歯を備えた棒状部材を扱胴軸心方向に向けて周方向に配列した籠型のもの（特許文献２参照）が用いられている。
【特許文献１】特開２００６−１４７０８号公報
【特許文献２】特開平２−２２２６１５号公報
【発明の開示】
【発明が解決しようとする課題】
【０００３】
上記したドラム型の扱胴は稲や麦などの作物の脱穀に好適であり、籠型の扱胴は豆類の脱穀やヒマワリの種子の脱穀のように、脱粒に揉み処理を必要とするような作物の脱穀に適している。従って、両種の作物を栽培しているユーザーは２種類のコンバインを準備して使い分けたり、あるいは、２種類の扱胴を全体的に取り替えて使用する必要があり、前者では経済的な負担が大きくなるものであり、後者では扱胴全体の取り替えに大掛かりな分解整備作業が必要で、多大な手間と時間がかかるものとなる。
【０００４】
本発明は、このような点に着目してなされたものであって、扱胴をドラム型と籠型とに簡単に仕様変更して利用できるようにすることを目的としている。
【課題を解決するための手段】
【０００５】
第１の発明は、脱穀装置の対向する一方の側板と他方の側板とに亘って回転自在に軸支された回転基材に、外周に扱歯を備えた周方向に分割可能な扱胴ドラムと、扱歯を備えた扱胴回転軸心方向に長い棒状部材の複数本とを付け替え可能に構成した扱胴であって、前記回転基材に、前記一方の側板と前記他方の側板とに亘って貫通支架された扱胴支軸と、前記扱胴支軸の長手方向の両端側に固着されたフランジ部材と、を備え、前記フランジ部材に対して取り外し可能な取付板を備え、前記棒状部材は、前記取付板を前記フランジ部材から取り外した状態で、両端部を夫々前記フランジ部材の周方向の複数箇所に連結して、前記回転基材に取り付け可能であり、前記扱胴ドラムは、前記取付板を前記フランジ部材に取り付けた状態で、前記取付板に連結して、前記回転基材に取り付け可能であるものである。
【０００６】
上記構成によると、脱穀装置に軸支したままの回転基材に、周方向に分割可能な扱胴ドラムを取り付けることでドラム型の扱胴を構成することができる。脱穀装置に軸支したままの回転基材に、扱歯付きの棒状部材を取り付けることで籠型の扱胴を構成することができ、収穫する作物に応じて仕様の扱胴を変更することができる。
外周構造部を構成する扱胴ドラムや扱歯付きの棒状部材は、組立て完成した扱胴に比べて周方向に小型の部材で、かつ、重ねて保管することができ、使われない外周構造部をスペース少なく管理しておくことができる。
【０００７】
従って、第１の発明によると、扱胴全体を取り替えるような大掛かりな分解作業をしなくても、回転基材を軸支したままで比較的簡単に扱胴をドラム型と籠型とに仕様変更して利用することができ、一機種で二種の仕様での脱穀作業を行うことができて、ユーザーの経済的負担を軽減するのに有効となる。
第２の発明は、前記取付板を円盤状に形成するとともに、前記取付板の外周縁部につば部を備え、前記扱胴ドラムを前記つば部に前記取付板の径外方向から取り付け可能に構成したものである。
第３の発明は、前記取付板を分割可能に構成したものである。
第４の発明は、前記取付板は、前記扱胴支軸の長手方向の両端側に固着された前記フランジ部材に対して、前記扱胴支軸の中間部の側から取り付け可能であるものである。
第５の発明は、前記取付板は、前記扱胴支軸の中間部の側から取付具によって前記フランジ部材に取り付けられるものである。
第６の発明は、前記取付板は、前記フランジ部材における前記扱胴支軸の中間部側の面にあてがわれた状態で、前記フランジ部材に取り付けられるものである。
第７の発明は、前記扱胴支軸の長手方向の両端側に固着された前記フランジ部材の間に、フランジ部材を備えたものである。
第８の発明は、前記取付板は、その外周形状が前記扱胴ドラムの内周形状に沿うように形成されているものである。
第９の発明は、前記取付板は、前記フランジ部材よりも大径に形成されているものである。
第１０の発明は、前記フランジ部材の外周縁部に、前記棒状部材を嵌め込み可能な嵌合凹部を周方向に沿って複数形成したものである。
【０００８】
第１１の発明は、前記回転基材の端部に、投入されてきた作物を導入するオーガ部を備えてあるものである。
【０００９】
上記構成によると、ドラム型あるいは籠型のいずれにおいても、共通のオーガ部を用いて作物を円滑確実に導入することができ、入口部での詰まりのない良好な脱穀処理を行うことができる。
【発明を実施するための最良の形態】
【００１０】
図１に、本発明に係る普通型のコンバインの全体側面が、また、図２に、その全体平面がそれぞれ示されている。このコンバインは、左右一対のクローラ走行装置１を備えた走行機体２に、脱穀装置３と穀粒回収部４が左右に並列して配備されるとともに、穀粒回収部４の前方にキャビン仕様の運転部５が配備され、更に、脱穀装置３の前部には支点Ｘ周りに上下揺動自在に刈取り作物搬送用のフィーダ６が連結され、このフィーダ６の前端に刈取り部７が連結されている。
【００１１】
前記刈取り部７は、左右の分草フレーム１１に亘ってバリカン型の刈取り装置１２、および、刈り取った作物を刈り幅の左寄り箇所に向けて横送りするオーガ１３が架設された構造となっている。フィーダ６にはチェーン式の掻揚げコンベア１４が内装されており、オーガ１３で横送りされて掻込みフィンガー１５で後方に掻き込まれた作物が、フィーダ６の底面に沿って掻き揚げ搬送されて脱穀装置３の前端に投入供給されるようになっている。
【００１２】
走行機体２とフィーダ６の下部との間に油圧シリンダ１６が架設され、この油圧シリンダ１６の伸縮作動によって刈取り部７がフィーダ６と一体に揺動昇降されるようになっている。刈取り部７の前部上方には、植立した穀稈を後方に掻き込んで引き上げる掻込みリール１７が装備されている。
【００１３】
前記掻込みリール１７は、支点ａ周りに上下揺動自在な左右一対の支持アーム１８の前部に支架されており、油圧シリンダ１９によって支持アーム１８を上下揺動することで掻込みリール１７の掻込み作用高さを変更することができるとともに、掻込みリール１７を支持アーム１８に沿ってスライド調節して掻込み作用位置を前後に調節することが可能となっている。
【００１４】
掻込みリール１７は、正六角形状の左右のリールフレーム２０、左右のリールフレーム２０の頂部６箇所に回動自在に水平支架された６本のタイン取付け軸２１、各タイン取付け軸２１に一定ピッチで並列装備された樹脂製のタイン２２、リールフレーム２０に対して後方に偏心して回動自在に支持された正六角形状の補助リールフレーム２３、等で構成されている。リールフレーム２０と補助リールフレーム２３が同調して掻込み方向に回転駆動されることで、補助リールフレーム２３にリンク連係された各タイン取付け軸２１が掻込み方向と逆方向に同調回転され、各タイン取付け軸２１のタイン２２が常に下向きの掻き込み姿勢を維持して掻き込み方向の公転移動するよう構成されている。
【００１５】
このコンバインは機体左側を未刈り側とする回り刈りを標準の刈取り形態としており、標準の刈取り形態で背丈の高い作物を収穫する場合には、図１に示すように、刈取り作物と未刈り作物とを分離する左側の分草フレーム１１の前端に備えられた分草具２５に、棒材をＬ形に屈曲してなる補助分草具２６を連結するとともに、補助分草具２６の上部に枢支連結した分草棒２７を後方に延出して掻込みリール１７の軸支部に乗せ掛け係止するとよい。このように構成することで、刈取り部７の前方の刈り取り作物を掻込みリール１７の作用域に導くとともに、左側の未刈り作物を掻込みリール１７の作用域の左外側に押し退け、未刈り作物の不当な脱粒や引き抜きを防止して良好な収穫を行うことができる。
【００１６】
図４，図５に示すように、周方向６本のタイン取付け軸２１のうち、１本置きのタイン取付け軸２１の左端近くに、金属丸棒材からなる補助タイン２８が取り付けられている。機体左側を未刈り側とする標準の刈取り形態を行う際に、未刈り作物と絡まった刈り取り作物の掻き込みを剛性の高い補助タイン２８で強力に行い、樹脂製のタイン２２が掻き込み負荷で変形したり、損傷するようなことなく良好な掻き込みを行うことができるようになっている。
【００１７】
図３に示すように、前記脱穀装置３の上部には、扱胴２９を前後に軸支収容した扱室３０が備えられるとともに、脱穀装置３の下部には、脱穀処理物を揺動風選処理する選別部３１が配備されている。詳細な構造の説明は省略するが、扱室３０において作物から分離された処理物は選別部３１で揺動篩い選別および風選処理を受け、精選された穀粒は穀粒回収部４に搬出されて回収されるとともに、２番物は選別部３１の前部に還元されて再選別され、脱穀処理後の作物稈は扱室終端の送塵口３２から送出されて、回転チョッパ８で細断されるようになっている。
【００１８】
本発明は、上記扱胴２９の構造に特徴を備えているものであり、その詳細な構造を以下に説明する。
図７に示すように、前記扱胴２９は、扱室３０における前後に対向する側板３３，３４に亘って軸支された回転基材３５と、この回転基材３５の周部に取り付けられる外周構造部３６とで構成されており、外周構造部３６を取り替えることで、図８〜図１０に示すドラム型の扱胴２９と、図１１〜図１４に示す籠型の扱胴２９を構成することができるようになっている。
【００１９】
前記回転基材３５は、前後の側板３３，３４に亘って貫通支架される扱胴支軸３７、その長手方向三箇所に固着された円盤状のフランジ部材３８、扱胴支軸３７の前部に連結固定されたオーガ部３９とで構成されており、オーガ部３９は先細りテーパ状のオーガドラム３９ａの外周に２条の螺旋羽根３９ｂを取り付けて構成されている。
【００２０】
図７中に示すように、ドラム型の扱胴２９を構成する場合の外周構造部３６は、回転基材３５のフランジ部材３８にボルト連結される「取付板」としての円盤状のステー４０と、このステー４０の外周縁部に形成されたつば部にボルト連結される扱胴ドラム４１とで構成され、扱胴ドラム４１の外周には線材を山形に屈曲してなる多数の扱歯４２が所定の配列で植設されている。
【００２１】
前記ステー４０は半割り状に２分割されて、前後の側板３３，３４に支架された状態の回転基材３５のフランジ部材３８に脱着できるよう、「取付具」としてのボルトによって連結されるとともに、扱胴ドラム４１も周方向に２分割されて、フランジ部材３８に取り付けられた円盤状のステー４０の外周に径外方向から脱着できるようボルト連結されている。また、ステー４０は、扱胴支軸３７の前端側のフランジ部材３８に対しては、後方側から取り付けられ、扱胴支軸３７の後端側のフランジ部材３８に対しては、前方側から取り付けられる。
【００２２】
図７中に示すように、籠型の扱胴２９を構成する場合の外周構造部３６は、回転基材３５におけるフランジ部材３８の周方向複数箇所に形成された嵌合凹部に脱着可能にボルト連結される扱歯付きの棒状部材４３で構成されている。この棒状部材４３は丸パイプ材からなり、その前後両端と中間箇所の３箇所に、フランジ部材３８への連結部４４が突設されるとともに、連結部４４の突出方向と逆方向に向けて丸棒材からなる扱歯４５が扱胴軸心方向に所定ピッチで突設されている。
【００２３】
本発明の扱胴構造は以上のように構成されており、前後の側板３３，３４に支架されたままの回転基材３５に対して２種類の外周構造部３６を付け替えることで、扱胴２９の全体を取り替えるような大掛かりな操作を要することなく、ドラム型の扱胴２９と、籠型の扱胴２９を使い分けることができる。
【００２４】
〔他の実施例〕
（１）図１５に示すように、扱胴ドラム４１の後端部に小径部４１ａを連設して、終端部が小径となったドラム型の扱胴２９を構成することもできる。これによると、扱室３０の終端での作物の移動空間が大きくなり、脱穀処理後の作物の流出が円滑となり、送塵口３２での詰まり発生を防止することができる。
【００２５】
（２）本発明の扱胴構造は、刈取り作物をフィードチェーンで挟持搬送しながら脱穀処理する自脱型の脱穀装置に適用することもできる。
【図面の簡単な説明】
【００２６】
【図１】コンバインの全体側面図
【図２】コンバインの全体平面図
【図３】ドラム形の扱胴を装備した脱穀装置の縦断側面図
【図４】掻き込みリールの一部を示す側面図
【図５】掻き込みリールの左端側の一部を示す正面図
【図６】掻き込みリールの側面図
【図７】扱胴構成部材を分解した斜視図
【図８】ドラム形の扱胴の前半部を示す縦断側面図
【図９】ドラム形の扱胴の後半部を示す縦断側面図
【図１０】ドラム形の扱胴の縦断正面図
【図１１】籠形の扱胴を装備した脱穀装置の縦断側面図
【図１２】籠形の扱胴の前半部を示す縦断側面図
【図１３】籠形の扱胴の後半部を示す縦断側面図
【図１４】籠形の扱胴の縦断正面図
【図１５】別実施例のドラム形の扱胴を装備した脱穀装置の縦断側面図
【符号の説明】
【００２７】
３            脱穀装置
３３            側板
３４            側板
３５            回転基材
３６            外周構造部
３７ 扱胴支軸
３８ フランジ部材
３９            オーガ部
４０ ステー（取付板）
４１            扱胴ドラム
４２            扱歯
４３            棒状部材
４５            扱歯
【図１】
0005022269.tif 000002
【図２】
0005022269.tif 000003
【図３】
0005022269.tif 000004
【図４】
0005022269.tif 000005
【図５】
0005022269.tif 000006
【図６】
0005022269.tif 000007
【図７】
0005022269.tif 000008
【図８】
0005022269.tif 000009
【図９】
0005022269.tif 000010
【図１０】
0005022269.tif 000011
【図１１】
0005022269.tif 000012
【図１２】
0005022269.tif 000013
【図１３】
0005022269.tif 000014
【図１４】
0005022269.tif 000015
【図１５】
0005022269.tif 000016